(57)【要約】【課題】ころの中空孔内部への潤滑剤の補給を容易にして潤滑性を向上させることができるピンタイプ保持器付き転がり軸受を提供する。【解決手段】内輪２と、外輪３と、内外輪間に複数配置されて中空孔４ａを有するころ４と、中空孔４ａにピン６を挿通するピンタイプ保持器５とを備え、ピンタイプ保持器５は、ピ６ンの両端に配置される一対の第１リング７，第２リング８を有し、ピン６の一端が、第１リング７に結合し、ピン６の他端６ｂが、第２リング８に螺合して構成され、ピン６の外周には、軸方向に延びる溝６ａが形成され、溝６ａは、開口したピン６の他端６ｂから第１リング７に接する位置６ｃまで連続して形成される。【選択図】図１
2015117779.tif 000002
【特許請求の範囲】
【請求項１】
内輪と、外輪と、内外輪間に複数配置されて中空孔を有するころと、前記中空孔にピンを挿通するピンタイプ保持器と、を備えるピンタイプ保持器付き転がり軸受において、
前記ピンタイプ保持器は、
前記ピンの両端に配置される一対のリングを有し、
前記ピンの一端が、前記一対のリングのうち一方のリングに結合し、
前記ピンの他端が、他方のリングに螺合して構成され、
前記ピンの外周には、軸方向に延びる溝が形成され、
前記溝は、開口した前記ピンの他端側から前記一方のリングに接する位置まで連続して形成されることを特徴とするピンタイプ保持器付き転がり軸受。
【発明の詳細な説明】
【技術分野】
【０００１】
本発明は、ピンタイプ保持器付き転がり軸受に関する。
【背景技術】
【０００２】
従来、例えば風力発電用主軸に用いられ、比較的大型で重荷重に対応したピンタイプ保持器付き転がり軸受としては、例えば特許文献１に記載されているものがある。
【０００３】
このピンタイプ保持器付き転がり軸受は、内輪と、外輪と、内外輪間に複数配置される中空の円筒状のころと、ころの中空孔に挿通されるピンタイプ保持器とを備える。ピンタイプ保持器は、軸方向に離隔配置される一対のリングと、両リングの周方向の複数箇所に架設される丸棒状のピンとを有する。ピンタイプ保持器ところとの組み立ては、これらが互いに接触する部位に潤滑剤として、例えばグリースを塗布した後に、一方のリング及びころを挿通したピンの一端部を他方のリングに螺合させてから、ピンの他端部を一方のリングに溶接することにより行われる。
【先行技術文献】
【特許文献】
【０００４】
【特許文献１】特開２００１−１６５１７３号公報
【発明の概要】
【発明が解決しようとする課題】
【０００５】
ところで、特許文献１に記載されるピンタイプ保持器付き転がり軸受では、保守点検時にグリースが補給され、グリースはころの中空孔の両端部に設けられた周溝から、ころの中空孔内部にも補給される。しかしながら、両端の周溝にグリースを注入しても、半固体のグリースは、ころの中空孔内周面とピンの外周面との間の円筒状の僅かな隙間ではピンの中央付近まで十分に行き渡らせるのが難しく、ころの中空孔内部が潤滑不足となる場合がある。そこで、ピンタイプ保持器付き転がり軸受は、ころの中空孔内部への潤滑剤の補給を容易にして潤滑性を向上させることが課題となっていた。
【０００６】
本発明は、このような課題を解決するためになされたものであって、ころの中空孔内部への潤滑剤の補給を容易にして潤滑性を向上させることができるピンタイプ保持器付き転がり軸受を提供することを目的とする。
【課題を解決するための手段】
【０００７】
上記の課題を解決するため、請求項１に係るピンタイプ保持器付き転がり軸受の構成上の特徴は、内輪と、外輪と、内外輪間に複数配置されて中空孔を有するころと、前記中空孔にピンを挿通するピンタイプ保持器と、を備えるピンタイプ保持器付き転がり軸受において、前記ピンタイプ保持器は、前記ピンの両端に配置される一対のリングを有し、前記ピンの一端が、前記一対のリングのうち一方のリングに結合し、前記ピンの他端が、他方のリングに螺合して構成され、前記ピンの外周には、軸方向に延びる溝が形成され、前記溝は、開口した前記ピンの他端側から前記一方のリングに接する位置まで連続して形成されることである。
【０００８】
請求項１のピンタイプ保持器付き転がり軸受によれば、ピンの他端側の開口した溝から、例えば注射針のような溝形状に適合した導管を溝の奥まで差し込み、導管を引き抜きつつ潤滑剤を注入することで、潤滑剤をピンの軸方向に行き渡らせることができる。注入された潤滑剤は、軸受の回転で周方向に拡散される。これにより、このピンタイプ保持器付き転がり軸受は、ころの中空孔内周面とピンの外周面との間の隙間へ潤滑剤を容易に補給でき、潤滑性を向上させることができる。
【発明の効果】
【０００９】
本発明によれば、ころの中空孔内部への潤滑剤の補給を容易にして潤滑性を向上させることができるピンタイプ保持器付き転がり軸受を提供できる。
【図面の簡単な説明】
【００１０】
【図１】本発明の一実施形態であるピンタイプ保持器付き転がり軸受の軸方向の部分断面図である。
【図２】図１に示すピンタイプ保持器及びころのＡ矢視図である。
【発明を実施するための形態】
【００１１】
以下、本発明のピンタイプ保持器付き転がり軸受を具体化した実施形態について図面を参照しつつ説明する。
図１は、本発明の一実施形態であるピンタイプ保持器付き転がり軸受１の軸方向の部分断面図である。図２は、図１に示すピンタイプ保持器５及びころ４のＡ矢視図である。
【００１２】
図１に示すように、ピンタイプ保持器付き転がり軸受１は、内輪２と、外輪３と、内外輪間に複数配置される中空孔４ａの円筒状のころ４と、中空孔４ａにピン６が挿通されるピンタイプ保持器５とを備える。
【００１３】
ピンタイプ保持器５は、軸方向に離隔配置される一対のリング７，８と、両リング７，８の周方向の複数箇所に架設される丸棒状のピン６とを有する。一対のリング７，８は、一方のリングを第１リング７とし、他方のリングを第２リング８とする。第１リング７の周方向数箇所には、軸方向に貫通する孔７ａが設けられている。第２リング８の周方向数箇所には、軸方向に貫通するねじ孔８ａが設けられている。第１リング７及び第２リング８の材料としては、例えば、高炭素鋼「Ｓ２５Ｃ」が用いられる。
【００１４】
ピン６の一端が第１リング７の孔７ａに係合した係合部９を溶接することにより、ピン６の一端と第１リング７とが結合される。
【００１５】
ピン６の他端６ｂが第２リング８のねじ孔８ａに螺合することにより、ピン６の他端６ｂと第２リング８とが結合される。ピン６の材料としては、例えば、ニッケルクロムモリブデン鋼「ＳＡＥ８６２０」が用いられる。
【００１６】
ピン６の外周には、軸方向に延びる溝６ａが周方向の２箇所に形成されている。溝６ａは、開口したピン６の他端６ｂから第１リング７に接する位置６ｃまで連続して形成される。
【００１７】
このように構成されるピンタイプ保持器付き転がり軸受１において、ピンタイプ保持器５ところ４との組み立ては、これらが互いに接触する部位に潤滑剤として、例えばグリースを塗布する。その後に、第１リング７及びころ４を挿通したピン６の他端６ｂを第２リング８に螺合させてから、ピン６の一端を第１リング７に溶接することにより行われる。
【００１８】
また、ピンタイプ保持器付き転がり軸受１において、保守点検時のころ４の中空孔４ａ内部へのグリースの補給は、ピン６の他端６ｂの開口した溝６ａから、例えば注射針のような溝６ａ形状に適合した導管を矢印Ｂにて示す方向に差し込んで、グリースを注入して行われる。このように、グリースの補給は、溝６ａが開口した他端６ｂから軸方向に真っ直ぐに延びているので、溝６ａの奥の位置６ｃまで導管を差し込んでグリースを注入することができる。そして、溝６ａに注入されたグリースは、軸受の回転で中空孔４ａ内部の周方向に拡散される。
【００１９】
以上のように、本実施の形態に係るピンタイプ保持器付き転がり軸受１は、ころ４の中空孔４ａの内部へのグリースの補給を容易にして潤滑性を向上させることができる。
【００２０】
なお、本発明は本実施形態に限定するものではなく、本発明の要旨を逸脱しない範囲内において、種々の形態で実施することができる。
本実施形態では、ころが円筒状のころ４からなるとしたが、それに限るものではなく、例えば、円錐ころの構成に適用してもよい。
【００２１】
また、上記実施形態では、ピン６の外周に設ける溝６ａが周方向の２箇所に設けるとしたが、それに限るものではなく、例えば、周方向の１箇所でもよく、又３箇所以上の構成に適用してもよい。
【００２２】
また、上記実施形態では、ピン６の外周に設ける溝６ａが、開口したピン６の他端６ｂから第１リング７に接する位置６ｃまで軸方向に連続して形成されるとしたが、それに限るものではなく、例えば、ピン６の外周に設ける溝６ａが、開口したピン６の他端６ｂから一端まで、即ち両端間に連続して形成される構成に適用してもよい。この場合、溝６ａが両端間に形成されるので、その加工が容易となる。
【符号の説明】
【００２３】
１：ピンタイプ保持器付き転がり軸受、  ２：内輪、  ３：外輪、  ４：ころ、  ４ａ：中空孔、  ５：ピンタイプ保持器、  ６：ピン、  ６ａ：溝、  ６ｂ：ピンの他端、  ６Ｃ：位置、  ７：第１リング、  ７ａ：孔、  ８：第２リング、  ８ａ：ねじ孔、  ９：係合部
【図１】
2015117779.tif 000003
【図２】
2015117779.tif 000004